(57)【要約】【課題】可視光と非可視光を切り替え照射しながら原稿像を取得する画像読取装置において、明るさの安定した画像を取得したり、適切な信号処理を施すことを可能にする。【解決手段】可視光と非可視光を切り替え照射しながら原稿２上の画像を読み取る画像読取装置１であって、原稿２上の画像を読み取って画像信号を出力するＣＣＤ５と、可視光と非可視光を切り替え照射する光源８と、光源８の点灯時間を制御する点灯制御手段１０とを備え、点灯制御手段１０は、非可視光を照射する際の第１の光源点灯時間を、可視光を照射する際の第２の光源点灯時間よりも長くする。また、画像読取装置１は、ＣＣＤ５から出力される画像信号を、可視光を照射したときの画像信号と、非可視光を照射したときの画像信号とに分離する分離手段を備えることができる。【選択図】図１
2010251872.tif 000002
【特許請求の範囲】
【請求項１】
可視光と非可視光を切り替え照射しながら原稿上の画像を読み取る画像読取装置であって、
前記原稿上の画像を読み取って画像信号を出力するイメージセンサと、
可視光と非可視光を切り替え照射する光源と、
前記光源の点灯時間を制御する点灯制御手段とを備え、
該点灯制御手段は、非可視光を照射する際の第１の光源点灯時間を、可視光を照射する際の第２の光源点灯時間よりも長くすることを特徴とする画像読取装置。
【請求項２】
前記第１及び第２の光源点灯時間は、可視光を照射したときの画像信号のレベルと、非可視光を照射したときの画像信号のレベルとが実質的に等しくなるように設定されることを特徴とする請求項１に記載の画像読取装置。
【請求項３】
前記第１及び第２の光源点灯時間は、可視光を照射したときの画像信号と、非可視光を照射したときの画像信号とのレベル差が、前記イメージセンサの後段に設けられる信号処理手段の入力許容範囲内に収まるように設定されることを特徴とする請求項１に記載の画像読取装置。
【請求項４】
前記イメージセンサから出力される画像信号のレベルを所定の基準レベルと対比し、差分に応じて前記第１及び第２の光源点灯時間を伸縮する調整部を備えることを特徴とする請求項１、２又は３に記載の画像読取装置。
【請求項５】
前記イメージセンサから出力される画像信号を、可視光を照射したときの画像信号と、非可視光を照射したときの画像信号とに分離する分離手段を備えることを特徴とする請求項１乃至４のいずれかに記載の画像読取装置。
【請求項６】
前記分離手段は、
前記イメージセンサから出力される画像信号を記憶するメモリと、
該メモリの書き込み及び読み出し動作を制御するメモリ制御部とを備え、
前記メモリに記憶される画像信号を照射光の種類毎に読み出すことを特徴とする請求項５に記載の画像読取装置。
【請求項７】
前記分離手段は、
前記イメージセンサから出力される画像信号を記憶するとともに、可視光を照射したときの画像信号を記憶する第１の記憶領域と、非可視光を照射したときの画像信号を記憶する第２の記憶領域とが設定されたメモリと、
該メモリの書き込み及び読み出し動作を制御するメモリ制御部とを備え、
前記イメージセンサから出力される画像信号を照射光の種類毎に振り分けながら前記メモリの第１及び第２の記憶領域に書き込むことを特徴とする請求項５に記載の画像読取装置。
【請求項８】
前記光源は、可視光と非可視光をライン単位で切り替え照射することを特徴とする請求項１乃至７のいずれかに記載の画像読取装置。
【請求項９】
前記非可視光が赤外光及び／又は紫外光であることを特徴とする請求項１乃至８のいずれかに記載の画像読取装置。
【発明の詳細な説明】
【技術分野】
【０００１】
本発明は、原稿上の画像を読み取って画像信号を出力する画像読取装置に関し、特に、可視光と非可視光を切り替え照射しながら原稿像を読み取る装置に関する。
【背景技術】
【０００２】
従来、印刷物や写真等の被写体画像（原稿上の画像）を読み取る装置として、光源から光を照射しながら、イメージセンサで画像を読み取って画像信号を出力する画像読取装置が活用されている（例えば、特許文献１参照）。
【０００３】
こうした画像読取装置は、複写機やＦＡＸ等の他、印刷した印刷物の状態を確認する検査装置の分野でも広く活用されているが、近年、一般インクと特殊インクを併用した印刷物の検査にも画像読取装置を利用したいとの要望がある。この場合、一般インクでの印刷部分に対応する原稿像と、特殊インクでの印刷部分に対応する原稿像とを別個に取得することが求められ、また、特殊インクには、例えば、赤外光や紫外光等の非可視光にのみ感応し、可視光照射では読み取ることができないインクが使用されていることもある。
【０００４】
そのため、可視光用の原稿像を得るための画像読取装置と、非可視光用の原稿像を得るための画像読取装置とを独立して設置し、各々の画像読取装置で必要な画像を得ることになる。しかし、かかる構成の下では、インクの種類に応じた数の画像読取装置が必要になるため、全体としてのコストが高騰し易くなる。
【先行技術文献】
【特許文献】
【０００５】
【特許文献１】特開２００４−１２６７２１号公報
【発明の概要】
【発明が解決しようとする課題】
【０００６】
コストを低く抑えるためには、可視光用と非可視光用との読取装置を一体化し、可視光と非可視光を切り替え照射しながら印刷物を読み取るように構成することが好ましい。しかし、ＣＣＤにおいては、可視光に対する感度と、非可視光に対する感度とが大きく異なるため、光源を切り替え照射するのみでは、可視光の画像と非可視光の画像とで明るさが極端に相違してしまう。
【０００７】
特に、紫外光に感応する蛍光インクに関しては、インクに紫外光を照射して発光させ、その発光した光をＣＣＤで読み取るが、インクの発光強度が極めて弱いため、可視光の感度に合わせて装置を設計すると、紫外光の画像が真っ黒の状態となり、内容を視認できなくなるという問題が生じる。
【０００８】
また、画像読取装置においては、画像信号に対してシェーディング補正等の信号処理を施すのが一般的であるが、前述のとおり、可視光と非可視光でＣＣＤの感度が大きく異なるため、ＣＣＤから出力される画像信号において、可視光の照射時と非可視光の照射時とで著しいレベル差が生じる。
【０００９】
この場合、レベル差の激しい状態で画像信号が信号処理回路に入力されることになるため、双方の画像信号に対して一様な信号処理を施すことが困難となる。特に、画像信号間のレベル差が信号処理回路の入力許容範囲を超える場合には、信号処理を施すこと自体が不可能になり、可視光用の信号処理回路と非可視光用の信号処理回路とを独立して設ける必要が生じる。
【００１０】
そこで、本発明は、上記従来の技術における問題点に鑑みてなされたものであって、可視光と非可視光を切り替え照射しながら原稿像を取得する画像読取装置において、明るさの安定した画像を取得したり、単一の信号処理手段で適切な信号処理を施すことが可能な装置を提供することを目的とする。
【課題を解決するための手段】
【００１１】
上記目的を達成するため、本発明は、可視光と非可視光を切り替え照射しながら原稿上の画像を読み取る画像読取装置であって、前記原稿上の画像を読み取って画像信号を出力するイメージセンサと、可視光と非可視光を切り替え照射する光源と、前記光源の点灯時間を制御する点灯制御手段とを備え、該点灯制御手段は、非可視光を照射する際の第１の光源点灯時間を、可視光を照射する際の第２の光源点灯時間よりも長くすることを特徴とする。
【００１２】
そして、本発明によれば、可視光及び非可視光のいずれを照射する場合でも、イメージセンサの感度に見合った光量で画像を読み取ることができるため、明るさの安定した画像を得ることが可能になる。また、画像信号間のレベル差を小さく抑えることもできるため、単一の信号処理手段を用い、各々の画像信号に対して適切な信号処理を施すことが可能になる。
【００１３】
前記画像読取装置において、前記第１及び第２の光源点灯時間を、可視光を照射したときの画像信号のレベルと、非可視光を照射したときの画像信号のレベルとが実質的に等しくなるように設定することができる。
【００１４】
前記画像読取装置において、前記第１及び第２の光源点灯時間を、可視光を照射したときの画像信号と、非可視光を照射したときの画像信号とのレベル差が、前記イメージセンサの後段に設けられる信号処理手段の入力許容範囲内に収まるように設定することができる。
【００１５】
前記画像読取装置において、前記イメージセンサから出力される画像信号のレベルを所定の基準レベルと対比し、差分に応じて前記第１及び第２の光源点灯時間を伸縮する調整部を備えることができる。これによれば、光源に任意の発光波長を選ぶ場合であっても、発光波長に合わせて最適化した回路等を個別に構成することなく、適宜、使用光源の発光波長に適した点灯時間を設定することができる。
【００１６】
前記画像読取装置において、前記イメージセンサから出力される画像信号を、可視光を照射したときの画像信号と、非可視光を照射したときの画像信号とに分離する分離手段を備えることができる。これによれば、１回の読み取り操作で、可視光の画像と非可視光の画像とを同時に取得することが可能になるため、読み取り処理の迅速性を高めたり、装置コストを低減することができる。
【００１７】
前記画像読取装置において、前記分離手段が、前記イメージセンサから出力される画像信号を記憶するメモリと、該メモリの書き込み及び読み出し動作を制御するメモリ制御部とを備え、前記メモリに記憶される画像信号を照射光の種類毎に読み出すことができる。
【００１８】
前記画像読取装置において、前記分離手段は、前記イメージセンサから出力される画像信号を記憶するとともに、可視光を照射したときの画像信号を記憶する第１の記憶領域と、非可視光を照射したときの画像信号を記憶する第２の記憶領域とが設定されたメモリと、該メモリの書き込み及び読み出し動作を制御するメモリ制御部とを備え、前記イメージセンサから出力される画像信号を照射光の種類毎に振り分けながら前記メモリの第１及び第２の記憶領域に書き込むことができる。
【００１９】
前記画像読取装置において、前記光源が可視光と非可視光をライン単位で切り替え照射することができる。
【００２０】
前記画像読取装置において、前記非可視光として赤外光及び／又は紫外光を用いることができる。
【発明の効果】
【００２１】
以上のように、本発明によれば、可視光と非可視光を切り替え照射しながら原稿像を取得する画像読取装置において、明るさの安定した画像を取得したり、適切な信号処理を施すことが可能になる。
【図面の簡単な説明】
【００２２】
【図１】本発明に係る画像読取装置の一実施の形態を示す全体構成図である。
【図２】図１のデータ処理部の構成を示す図である。
【図３】図１の点灯制御回路の構成を示す図である。
【図４】各光源の点灯時間を示す図である。
【図５】画像読取装置の動作を示すタイミング図である。
【図６】画像データの書き込み及び読み出し動作を説明するための図である。
【図７】画像データの書き込み及び読み出し動作を説明するための図である。
【発明を実施するための形態】
【００２３】
次に、本発明の実施の形態について図面を参照して詳細に説明する。尚、以下においては、本発明に係る画像読取装置を、可視光の照射で読み取り可能な一般インクと、非可視光の照射で読み取り可能な特殊インクとを併用して印刷した印刷物の状態を検査する検査装置に適用した場合を例にとって説明する。
【００２４】
図１は、本発明に係る画像読取装置の一実施の形態を示す全体構成図である。この画像読取装置１は、原稿（印刷物）２を搬送する搬送装置３とは別途の画像読取用ユニットとして構成され、同期信号生成回路４、ＣＣＤ５、ＣＣＤ駆動回路６、信号処理回路７、ＬＥＤ８、ＬＥＤ駆動回路９、点灯制御回路１０等を備える。
【００２５】
同期信号生成回路４は、ＣＣＤ５及びＬＥＤ８の動作を搬送装置３の動作に同期させるためのものであり、搬送装置３から出力される搬送周期信号ＶＳに基づいて同期信号ＳＳを生成する。
【００２６】
尚、搬送周期信号ＶＳは、搬送装置３側で原稿２を１ライン分搬送する都度、Ｈレベルに立ち上げられる信号であり（図５（ａ）参照）、原稿２の搬送タイミング（１ライン分搬送するときのスタートタイミング）及び搬送周期（１ライン分搬送するのに要する時間）を示すものである。この搬送周期信号ＶＳは、例えば、搬送装置３内の搬送機構（搬送モータやその周辺回路等）から出力される。一方、同期信号ＳＳは、１ライン当たりのＣＣＤ５及びＬＥＤ８の動作周期を定めるものであり、搬送周期信号ＶＳに同期するように生成される（図５（ｂ）参照）。
【００２７】
ＣＣＤ５は、原稿２上の画像を読み取るためのイメージセンサであり、３ライン分のラインセンサ５ａ〜５ｃを備える。ラインセンサ５ａ〜５ｃの受光面には、Ｒ、Ｇ、Ｂのカラーフィルタが付設され、ＣＣＤ５からは、Ｒ、Ｇ及びＢの３色の画像信号が並列的に出力される。また、ＣＣＤ駆動回路６は、ＣＣＤ５の各ラインセンサ５ａ〜５ｃを駆動させるためのものであり、同期信号生成回路４からの同期信号ＳＳに応じてＣＣＤ駆動信号ＣＴを出力する。
【００２８】
信号処理回路７は、ＣＣＤ５から出力される画像信号に対して所定の信号処理を施すためのものであり、図２に示すように、３本のラインセンサ５ａ〜５ｃに合わせて３列の信号処理系が設けられる。
【００２９】
信号処理回路７は、アナログのＲ信号、Ｇ信号及びＢ信号をデジタル信号に変換してＲデータ、Ｇデータ及びＢデータを生成するＡ／Ｄ変換部２１ａ〜２１ｃと、画像データに対してシェーディング補正等の信号処理を施すデータ処理部２２と、１ライン分のＲデータ、Ｇデータ及びＢデータを一時的に格納するバッファ（ラインメモリ）２３ａ〜２３ｃと、１フレーム分の画像データを格納するフレームメモリ２４と、フレームメモリ２４の書き込み及び読み出し動作を制御するメモリ制御部２５とを備える。その他、信号処理回路７においては、Ａ／Ｄ変換部２１ａの出力（Ｒデータ）を取り出し、レベル参照用のデータとして点灯制御回路１０に出力するように構成される。
【００３０】
図１に戻り、ＬＥＤ８は、画像読み取り時の光源であり、可視光の光源としての白色光源（以下、「Ｗ光源」という）８ａと、非可視光の光源としての赤外光源８ｂ及び紫外光源８ｃ（以下、「ＩＲ光源」、「ＵＶ光源」という）とを備える。また、ＬＥＤ駆動回路９は、ＬＥＤ８を駆動させるためのものであり、点灯制御回路１０からの点灯信号ＬＳ、消灯信号ＰＳに応じてＬＥＤ８に駆動電流を供給する。
【００３１】
点灯制御回路１０は、ＬＥＤ８の各光源８ａ〜８ｃの点灯時間を制御するためのものであり、図３に示すように、カウンタ３１、レジスタ３２、調整部３３、比較部３４及び点灯・消灯信号生成部（以下、「ＬＳ・ＰＳ生成部」という）３５等を備える。
【００３２】
カウンタ３１は、同期信号生成回路４からの同期信号ＳＳと、所定の周期を有するクロック信号（例えば、クロック発生部（不図示）からの基準クロック）ＣＫとを取り込み、同期信号ＳＳの１周期に亘って、クロック信号ＣＫのクロック数をカウントする。レジスタ３２は、点灯時間の設定値を記憶する記憶素子であり、Ｗ光源８ａ、ＩＲ光源８ｂ及びＵＶ光源８ｃの各々の点灯時間の設定値３２ａ〜３２ｃを保持する。
【００３３】
調整部３３は、読み取り操作の際に光源８ａ〜８ｃの点灯時間を微調整するためのものであり、信号処理回路７から出力される白色光、赤外光及び紫外光のＲデータのレベルと、予め設定されるＷ用、ＩＲ用及びＵＶ用の基準レベルとを対比し、差分に応じて各光源８ａ〜８ｃの点灯時間を伸縮する。比較部３４は、カウンタ３１のカウント値ＣＶとレジスタ３２内の設定値３２ａ〜３２ｃとを対比するための比較回路である。
【００３４】
ＬＳ・ＰＳ生成部３５は、ＬＥＤ８を点灯させる点灯信号ＬＳと、ＬＥＤ８を消灯させる消灯信号ＰＳとを出力する回路であり、同期信号ＳＳに基づいて点灯信号ＬＳのレベルを変化させるとともに、比較部３４の比較結果（一致信号ＣＳ）に基づいて消灯信号ＰＳのレベルを変化させる。
【００３５】
次に、上記構成を有する画像読取装置１の動作について、図１〜図６を参照しながら説明する。
【００３６】
原稿２の読み取りに先立ち、図３のＷ設定値３２ａ、ＩＲ設定値３２ｂ及びＵＶ設定値３２ｃ（光源８ａ〜８ｃの点灯時間）を設定する。これら設定値３２ａ〜３２ｃは、ＣＣＤ５の感度に合わせて設定され、具体的には、図４に示すように、Ｗ光源８ａ、ＩＲ光源８ｂ及びＵＶ光源８ｃの順で点灯時間が長くなるように設定される。
【００３７】
各光源８ａ〜８ｃの点灯時間は、白色光の照射時、赤外光の照射時及び紫外光の照射時の画像データのレベルが実質的に等しくなるように設定するのが好ましい。ここで、三者のレベルが実質的に等しいとは、白色光、赤外光及び紫外光のうちの１つを照射したときの画像データのレベルを基準としたときに、他の２つの光を照射したときの画像データのレベルが±０〜１０％以内に収まることをいう。
【００３８】
尚、白色光と紫外光とでＣＣＤ５の感度が極端に異なる一方で、光源８ａ〜８ｃの点灯時間は、長くても、搬送周期信号ＶＳの１周期（搬送装置３の１走査周期）を超えて設定することはできない。すなわち、原稿２の搬送速度によっては、上記のような設定が困難な場合があるため、各光源８ａ〜８ｃの点灯時間は、画像信号間のレベル差が信号処理回路７の入力許容範囲内に収まる（レベル差が±１０〜５０％以内）ような設定でもよい。
【００３９】
また、Ｗ設定値３２ａ、ＩＲ設定値３２ｂ及びＵＶ設定値３２ｃの設定処理は、画像読取装置１の製造段階や出荷時点で行ってもよいし、読み取り操作前の初期設定時に行ってもよい。また、各設定値は、必ずしも固定値とする必要はなく、ユーザの操作で変更可能な値とすることもできる。
【００４０】
そして、原稿２の読み取りにあたっては、図５に示すように、同期信号生成回路４において、搬送装置３からの搬送周期信号ＶＳ（図５（ａ）参照）に同期した同期信号ＳＳ（図５（ｂ）参照）を生成し、点灯制御回路１０及びＣＣＤ駆動回路６に出力する。次いで、点灯制御回路１０において、同期信号ＳＳに同期して点灯信号ＬＳを生成し、ＬＥＤ駆動回路９を通じてＬＥＤ８のＷ光源８ａを点灯させる（図５（ｃ）参照）。
【００４１】
その後、白色光用に設定された点灯時間（Ｗ設定値３２ａ）が経過するまでＷ光源８ａを継続的に点灯させ、点灯時間が経過した時点で消灯させる。これにより、予め定めた点灯時間（露光時間）でＣＣＤ５の各ラインセンサ５ａ〜５ｃを露光することができる（図５（ｆ）参照）。
【００４２】
その一方で、ＣＣＤ駆動回路６において、同期信号ＳＳに同期してＣＣＤ駆動信号ＣＴを出力し、ＣＣＤ５の各ラインセンサ５ａ〜５ｃでの電荷の蓄積及び画像信号の出力を実行させる（図５（ｇ）参照）。そして、図２に示すように、Ａ／Ｄ変換部２１ａ〜２１ｃにおいて、ＣＣＤ５からの画像信号をＡ／Ｄ変換して画像データを生成し、そのうちのＲデータを点灯制御回路１０に出力する。
【００４３】
次いで、図３に示すように、点灯制御回路１０の調整部３３において、ＲデータのレベルとＷ用の基準レベルとを対比する。その結果、Ｒデータのレベルが基準レベルよりも高い場合には、Ｗ光源８ａの点灯時間（Ｗ設定値３２ａ）を短くし、逆の場合には、Ｗ光源８ａの点灯時間を長くするように制御する。尚、対比するＲデータのレベルは、１画素分のものであってもよいし、複数画素から得られるもの（例えば、１ライン分の平均値）であってもよい。
【００４４】
それと併行して、図２に示すように、データ処理部２２において、Ｒデータ、Ｇデータ及びＢデータに対して信号処理を施し、バッファ２３ａ〜２３ｃに格納する。次いで、バッファ２３ａから順に信号処理後のデータを出力し、図６に示すように、フレームメモリ２４に書き込む。
【００４５】
最初のライン（ｎライン（ｎは、自然数））の読み取りが終了すると、図５に示すように、発光する光源をＷ光源８ａからＩＲ光源８ｂに切り替える。そして、Ｗ光源８ａの場合と同様、赤外光用に設定した点灯時間（ＩＲ設定値３２ｂ）でＩＲ光源８ｂを点灯させ（図５（ｄ）参照）、ｎ＋１ラインの読み取りを実行する（図５（ｇ）参照）。
【００４６】
このときも、Ｗ光源８ａを点灯させた場合と同様、点灯制御回路１０の調整部３３において、ＲデータのレベルとＩＲ用の基準レベルとを対比し、差分に応じてＩＲ光源８ｂの点灯時間を調整する。こうして、赤外光のＲデータ、Ｇデータ及びＢデータを取得し、信号処理を経てフレームメモリ２４に書き込む（図６参照）。
【００４７】
ｎ＋１ラインの読み取りが終了すると、発光する光源をＩＲ光源８ｂからＵＶ光源８ｃに切り替え、ｎ＋２ラインの読み取りを実行する。この場合も上記と同様、紫外光用に設定した点灯時間（ＵＶ設定値３２ｃ）でＵＶ光源８ｃを点灯させ、紫外光のＲデータ、Ｇデータ及びＢデータを取得する。
【００４８】
また、ＵＶ光源８ｃを点灯させた場合においても、ＲデータのレベルをＵＶ用の基準データと対比し、差分に応じてＵＶ光源８ｃの点灯時間を調整する。このように、白色光、赤外光及び紫外光の各々において、取得したＲデータのレベルと各光源用の基準レベルとを対比するため、画像読取装置１に搭載した光源の特性に合わせて各々の点灯時間を調整することができる。
【００４９】
これにより、各光源８ａ〜８ｃに任意の発光波長を選ぶ場合であっても、発光波長に合わせて最適化した回路等を個別に構成することなく、点灯時間を自動的に調整することができる。すなわち、赤外光や紫外光の発光波長には幅があるが、上記のような調整構成を採ることより、各種の発光波長に応じた複数の回路定数や制御パルス幅を予め定めずとも、適宜、使用光源の発光波長に適した点灯時間を設定することが可能になる。
【００５０】
尚、点灯時間の調整は、全てのラインに対して実行すると、頻繁に点灯時間を変更することになり、却って画質を乱す虞があるため、読み取り操作を開始した初期において、原稿２の余白領域内の１ラインを対象として１回のみ実行するか、又は、原稿２のページ毎に余白領域内の１ラインを対象として実行するのが好ましい。また、点灯時間の調整は、専用の白基準シート（不図示）を用い、原稿２の読み取り前に行うようにしてもよい。ここで、白基準シートは、Ｗ用、ＩＲ用及びＵＶ用の別個のシートであってもよいし、それらを接合して一体化させたシートであってもよい。
【００５１】
以後、１ライン分の読み取りが完了する都度、発光する光源をＷ光源８ａ、ＩＲ光源８ｂ、ＵＶ光源８ｃの順で切り替えるとともに、各光源において、設定された点灯時間だけ点灯させる（図５（ｃ）〜（ｅ）参照）。そして、かかる処理を繰り返しながら、１フレーム分の画像データを１ラインずつ取得し、順にフレームメモリ２４へ格納する。
【００５２】
フレームメモリ２４からの画像データの読み出しに際しては、図６に示すように、先ず、Ｗ画像のデータ（ｎ、ｎ＋３ライン目の画像データ）のアドレスのみを指定し、Ｗ画像のデータを読み出す。次いで、ＩＲ画像のデータ（ｎ＋１、ｎ＋４ライン目の画像データ）のアドレスを指定して、ＩＲ画像のデータを読み出し、その後、ＵＶ画像のデータ（ｎ＋２、ｎ＋５ライン目の画像データ）のアドレスを指定して、ＵＶ画像のデータを読み出す。
【００５３】
このようにＷ画像、ＩＲ画像及びＵＶ画像のデータを順に読み出すことで、１フレーム分の画像データを照射光の種類毎の画像データに分離する。分離された各画像データは、後段の検査装置や表示装置（不図示）に出力され、検査処理に活用される。
【００５４】
以上のように、本実施の形態によれば、Ｗ光源８ａ〜ＵＶ光源８ｃを切り替え照射するに際し、ＣＣＤ５の感度の良い光源の点灯時間を短くし、感度の悪い光源の点灯時間を長くするため、いずれの光を照射しても、ＣＣＤ５の感度に見合った光量で画像を読み取ることができる。このため、Ｗ画像、ＩＲ画像及びＵＶ画像の間で明るさが極端に相違するのを防止することができ、明るさの安定した画像を得ることが可能になる。
【００５５】
加えて、Ｗ画像、ＩＲ画像及びＵＶ画像の画像信号間のレベル差を小さく抑えることもできるため、各々の画像信号に対して適切な信号処理を施すことが容易になる。このことは、Ｗ画像、ＩＲ画像及びＵＶ画像の各々について、別々の信号処理回路を配置する必要性を無くし、信号処理回路を共有して一本化し得ることにもなるため、装置構成の簡略化やコストの低減に繋げることができる。
【００５６】
また、本実施の形態によれば、Ｗ光源８ａ〜ＵＶ光源８ｃを線順次で切り替えながら画像を読み取るとともに、フレームメモリ２４に記憶した１フレーム分の画像データを光種毎の画像データに分離しながら読み出すため、１回の読み取り操作で、Ｗ画像、ＩＲ画像及びＵＶ画像を同時に取得することができる。この場合、読み取りが終了した原稿２を読取装置の前段に戻す必要がなくなり、原稿２を一方向にのみ搬送すれば足りるようになる。このため、読み取り処理の迅速性を高めることができ、また、複雑な搬送機構が不要になることから、装置コストを低減することも可能になる。
【００５７】
尚、上記実施の形態においては、本発明に係る画像読取装置を印刷物の検査装置に適用した場合を例示したが、本発明は、検査用の読取装置のみに限定的に適用されるものではなく、可視光と非可視光を切り替え照射して原稿像を読み取るものであれば、分野を問わず、広く適用することが可能である。
【００５８】
また、上記実施の形態においては、可視光として白色光を用い、非可視光として赤外光及び紫外光を用いる場合を例示したが、可視光及び非可視光の各々において、他の種類の光を用いることもできる。
【００５９】
さらに、上記実施の形態においては、イメージセンサとしてカラーＣＣＤを例示したが、イメージセンサには、カラーフィルタを備えないモノクロＣＣＤを用いることもできる。
【００６０】
また、上記実施の形態においては、Ｗ光源８ａ〜ＵＶ光源８ｃを１ライン単位で切り替え照射するが、必ずしも１ラインである必要はなく、複数ライン単位で切り替え照射するようにしてもよい。
【００６１】
さらに、上記実施の形態においては、点灯時間の調整に際し、レベル参照用のデータとしてＲデータを用いるが、レベル参照用のデータには、Ａ／Ｄ変換部２１ａ〜２１ｃから出力される画像データの１つを任意に選んで用いることができ、ＧデータやＢデータを用いることもできる。
【００６２】
また、上記実施の形態においては、１フレーム分の画像データを光種毎の画像データを分離するにあたり、フレームメモリ２４からの読み出し時に分離するようにしているが、図７に示すように、フレームメモリ２４において、光種毎に別個の記憶領域２４ａ〜２４ｃを確保し、フレームメモリ２４への書き込みの段階で、画像データを分離するようにしてもよい。
【００６３】
さらに、上記実施の形態においては、搬送周期信号ＶＳを同期信号生成回路４に出力し、同期信号ＳＳとして、位相及び周期の双方が搬送周期信号ＶＳと一致する信号を生成するが、必ずしも搬送周期信号ＶＳを同期信号生成回路４にフィードバックさせる必要はなく、原稿走行速度が一定速であれば、同期信号ＳＳとして、搬送周期信号ＶＳと同一の周期を有し、位相がずれた状態の信号を生成しても構わない。すなわち、搬送周期信号ＶＳと同期信号ＳＳの位相がずれていても、ＣＣＤ５の読み取り動作とＬＥＤ８の発光動作との間（図５の（ｂ）〜（ｇ）を参照）の同期を確保できれば、画像に影響することはない。
【符号の説明】
【００６４】
１  画像読取装置
２  原稿
３  搬送装置
４  同期信号生成回路
５  ＣＣＤ
５ａ〜５ｃ  ラインセンサ
６  ＣＣＤ駆動回路
７  信号処理回路
８  ＬＥＤ
８ａ  Ｗ光源
８ｂ  ＩＲ光源
８ｃ  ＵＶ光源
９  ＬＥＤ駆動回路
１０  点灯制御回路
２１（２１ａ〜２１ｃ）  Ａ／Ｄ変換部
２２  データ処理部
２３（２３ａ〜２３ｃ）  バッファ
２４  フレームメモリ
２５  メモリ制御部
３１  カウンタ
３２  レジスタ
３３  調整部
３４  比較部
３５  ＬＳ・ＰＳ生成部
【図１】
2010251872.tif 000003
【図２】
2010251872.tif 000004
【図３】
2010251872.tif 000005
【図４】
2010251872.tif 000006
【図５】
2010251872.tif 000007
【図６】
2010251872.tif 000008
【図７】
2010251872.tif 000009